【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
予測された残差ブロックの１つ以上の予測された残差値に基づいて残差ブロックの１つ以上の残差値を再構築することを含み、前記予測された残差ブロックに基づいてピクチャの前記残差ブロックを生成することと、
現在のブロックを予測するためにイントラブロックコピー予測モードを適用することと、ここにおいて前記イントラブロックコピー予測モードは、前記ピクチャの前記現在のブロックの位置及び変位ベクトルに基づいて、前記ピクチャ中の予想ブロックを検索することを備え、
前記ピクチャの前記予想ブロックと前記残差ブロックとの組み合わせに基づいて前記ピクチャの前記現在のブロックを生成することと、
残差差分パルスコード変調（ＲＤＰＣＭ）プロセスが有効にされるかどうかを明示的に信号伝達する１つ以上のシンタックス要素を復号することと、
前記ＲＤＰＣＭプロセスが有効にされる場合、前記予測された残差ブロックに残差差分パルスコード変調（ＲＤＰＣＭ）を適用することによって、前記残差ブロックを生成することと、ここにおいて前記ＲＤＰＣＭを適用することは、複数のＲＤＰＣＭモードからの１つのＲＤＰＣＭモードを示すデータを符号化されたビットストリームから取得することと、示された前記ＲＤＰＣＭモードを適用することと、を備える、
を備える、方法。
【請求項２】
前記符号化されたビットストリームから前記予測された残差ブロックを取得することを更に備える、請求項１に記載の方法。
【請求項３】
前記予測された残差ブロックに前記ＲＤＰＣＭを適用することは、前記１つ以上の予測された残差値に水平又は垂直ＲＤＰＣＭを適用することを備える、請求項１又は２に記載の方法。
【請求項４】
ＲＤＰＣＭモードを示す前記データを取得することは、ＲＤＰＣＭオフモード、ＲＤＰＣＭ垂直モード、及びＲＤＰＣＭ水平モードのうちの少なくとも１つを示すデータを取得することを備える、請求項１に記載の方法。
【請求項５】
前記ピクチャ中の前記予想ブロックを検索するための前記変位ベクトルを、前記符号化されたビットストリームから取得することを更に備える、請求項１に記載の方法。
【請求項６】
前記１つ以上のシンタックス要素を復号することは、シーケンスパラメータセット（ＳＰＳ）においてシーケンスレベルで前記１つ以上のシンタックス要素を復号することを備える、請求項１に記載の方法。
【請求項７】
前記ＲＤＰＣＭプロセスが有効にされるかどうかを示す前記１つ以上のシンタックス要素は、インター予測モード及び前記イントラブロックコピー予測モードに適用可能である、請求項１に記載の方法。
【請求項８】
ビデオデータを符号化する方法であって、
ピクチャの現在のブロックを予測するためにイントラブロックコピー予測モードを適用することと、ここにおいて前記イントラブロックコピー予測モードは、前記ピクチャの前記現在のブロックの位置及び変位ベクトルに基づいて、前記ピクチャ中の予想ブロックを検索することを備え、
前記ピクチャの前記現在のブロックと前記予想ブロックとの間の差分に基づいて、前記ピクチャの前記現在のブロックに関する残差ブロックを生成することと、
前記残差ブロックの１つ以上の残差値を前記残差ブロックの１つ以上の他の残差値に基づいて予測することによって、前記残差ブロックに基づいて予測された残差ブロックを生成することと、
ビットストリームにおいて前記予測された残差ブロックを表すデータを符号化することと、
残差差分パルスコード変調（ＲＤＰＣＭ）プロセスが有効にされるかどうかを明示的に信号伝達する１つ以上のシンタックス要素を符号化することと、
前記ＲＤＰＣＭプロセスが有効にされる場合、前記残差ブロックに残差差分パルスコード変調（ＲＤＰＣＭ）を適用することによって前記予測された残差ブロックを生成することと、を備え、ここにおいて前記ＲＤＰＣＭを適用することは、複数のＲＤＰＣＭモードから１つのＲＤＰＣＭモードを選択することと、選択された前記ＲＤＰＣＭモードを適用することと、を備え、前記方法は、選択された前記ＲＤＰＣＭモードを示すデータを符号化することを更に備える、
方法。
【請求項９】
前記残差ブロックに前記ＲＤＰＣＭを適用することは、前記１つ以上の残差値に水平又は垂直ＲＤＰＣＭを適用することを備える、請求項８に記載の方法。
【請求項１０】
選択された前記ＲＤＰＣＭモードを示すデータを符号化することは、ＲＤＰＣＭオフモード、ＲＤＰＣＭ垂直モード、及びＲＤＰＣＭ水平モードのうちの少なくとも１つの示すデータを符号化することを備える、請求項８に記載の方法。
【請求項１１】
前記１つ以上のシンタックス要素を符号化することは、シーケンスパラメータセット（ＳＰＳ）においてシーケンスレベルで前記１つ以上のシンタックス要素を符号化することを備える、請求項８に記載の方法。
【請求項１２】
前記ＲＤＰＣＭプロセスが有効にされるかどうかを示す前記１つ以上のシンタックス要素は、前記イントラブロックコピー予測モード及びインター予測モードに適用可能である、請求項８に記載の方法。
【請求項１３】
ビデオデータを復号するためのデバイスであって、
前記ビデオデータを記憶するように構成されたメモリと、
予測された残差ブロックの１つ以上の予測された残差値に基づいて前記残差ブロックの１つ以上の残差値を再構築することを含み、前記予測された残差ブロックに基づいてピクチャの前記残差ブロックを生成することと、
現在のブロックを予測するためにイントラブロックコピー予測モードを適用することと、ここにおいて前記イントラブロックコピー予測モードは、前記ピクチャの前記現在のブロックの位置及び変位ベクトルに基づいて、前記ピクチャ中の予想ブロックを検索することを備える、
前記ピクチャの前記予想ブロックと前記残差ブロックとの組み合わせに基づいて前記ピクチャの前記現在のブロックを生成することと、
残差差分パルスコード変調（ＲＤＰＣＭ）プロセスが有効にされるかどうかを明示的に信号伝達する１つ以上のシンタックス要素を復号することと、
前記ＲＤＰＣＭプロセスが有効にされる場合、前記予測された残差ブロックに残差差分パルスコード変調（ＲＤＰＣＭ）を適用することによって、前記残差ブロックを生成することと、
を行うように構成されたビデオデコーダと、
を備え、
前記ＲＤＰＣＭを適用するために、前記ビデオデコーダは、複数のＲＤＰＣＭモードからの１つのＲＤＰＣＭモードを示すデータを符号化されたビットストリームから取得することと、示された前記ＲＤＰＣＭモードを適用することと、を行うように構成される、デバイス。
【請求項１４】
ビデオデータを符号化するためのデバイスであって、
前記ビデオデータを記憶するように構成されたメモリと、
ピクチャの現在のブロックを予測するためにイントラブロックコピー予測モードを適用することと、ここにおいて前記イントラブロックコピー予測モードは、前記ピクチャの前記現在のブロックの位置及び変位ベクトルに基づいて、前記ピクチャ中の予想ブロックを検索することを備え、
前記ピクチャの前記現在のブロックと前記予想ブロックとの間の差分に基づいて、前記ピクチャの前記現在のブロックに関する残差ブロックを生成することと、
前記残差ブロックの１つ以上の残差値を前記残差ブロックの１つ以上の他の残差値に基づいて予測することによって、前記残差ブロックに基づいて予測された残差ブロックを生成することと、
ビットストリームにおいて前記予測された残差ブロックを表すデータを符号化することと、
残差差分パルスコード変調（ＲＤＰＣＭ）プロセスが有効にされるかどうかを明示的に信号伝達する１つ以上のシンタックス要素を符号化することと、
前記ＲＤＰＣＭプロセスが有効にされる場合、前記残差ブロックに残差差分パルスコード変調（ＲＤＰＣＭ）を適用することによって前記予測された残差ブロックを生成することと、
を行うように構成されたビデオエンコーダと
を備え、
前記ＲＤＰＣＭを適用するために、前記ビデオエンコーダは、複数のＲＤＰＣＭモードから１つのＲＤＰＣＭモードを選択することと、選択された前記ＲＤＰＣＭモードを適用することと、を行うように構成され、前記ビデオエンコーダは、選択された前記ＲＤＰＣＭモードを示すデータを符号化するようにさらに構成される、
デバイス。
【請求項１５】
命令を記憶したコンピュータ可読記憶媒体であって、前記命令は、実行されたときに１つ以上のプロセッサに、請求項１−１２のいずれか一項に記載の方法を実行することを行わせる、コンピュータ可読記憶媒体。